(57)【要約】  本発明は、直接的にまたはベースプレート（１３）によって分離されて背中合わせに配置された一対のチューブ（２、３）を備え、選択的に外側ハンドル（１）及び位置決めフランジ（１５）が設けられる。各チューブは、歯が挿入されるチャネル（１４）を有し、かつ各チャネルにはそのベース上に側面引きずり要素及びスケール除去要素が設けられる。【選択図】図１ａおよび図１ｂ
2014516736.tif 000002
【特許請求の範囲】
【請求項１】
咀嚼ベースの口部自己洗浄装置であって、
わずかに触れる程度に背中合わせであり、一つまたは複数の歯をその内側に挿入するための洗浄チャネル（１４）がそれぞれ設けられた、半硬質の一対のチューブ（２、３）から形成され、
前記チャネルは、硬い毛、突起及び掻取りやすりまたは「歯舌」といった引きずり部材（１０）が設けられていることを特徴とする咀嚼ベースの口部自己洗浄装置。
【請求項２】
前記チューブ（２、３）にエラストマ製のケーシングが取り付けられていることを特徴とする請求項１に記載した咀嚼ベースの口部自己洗浄装置。
【請求項３】
前記チューブ（２、３）は、前記洗浄チャネル（１４）とともに基本的に「Ｈ」形状に見えるようにベースプレート（１３）に対して対称に配置されることを特徴とする請求項１または２に記載した咀嚼ベースの口部自己洗浄装置。
【請求項４】
前記チューブ（２、３）の間でかつ前記ベースプレート（１３）の背後に位置決めフランジ（１５）があることを特徴とする請求項１乃至３のいずれか一項に記載した咀嚼ベースの口部自己洗浄装置。
【請求項５】
前記引きずり部材は、噛み合いの間に歯の進入及び退出に対抗するように配置されることを特徴とする請求項１乃至４のいずれか一項に記載した咀嚼ベースの口部自己洗浄装置。
【請求項６】
前記壁及び前記チューブの縁部及び前記洗浄用翼状膜（６、７、８及び９）が、半硬質、柔軟かつ弾力的であることを特徴とする請求項１乃至５のいずれか一項に記載した咀嚼ベースの口部自己洗浄装置。
【請求項７】
前記チューブはそれらの端部が開放しており、前記洗浄の残りの前記口腔内への排水路を構成することを特徴とする請求項１乃至８のいずれか一項に記載した咀嚼ベースの口部自己洗浄装置。
【請求項８】
前記チューブ（２、３）は、それらが接続する領域に緩衝ストリップ（１２）を有しており、前記緩衝ストリップ（１２）に噛み合う硬い毛（２２）が設けられていることを特徴とする請求項１乃至７のいずれか一項に記載した咀嚼ベースの口部自己洗浄装置。
【請求項９】
前記チューブの外側に、前記チューブが歯頚、歯茎、並びに舌、口唇及び頬といった口の他の軟らかい部分を掻き取りかつマッサージをするための部材を有していることを特徴とする請求項１乃至８のいずれか一項に記載した咀嚼ベースの口部自己洗浄装置。
【請求項１０】
前記管状の壁が連続した表面を形成していることを特徴とする請求項１乃至９のいずれか一項に記載した咀嚼ベースの口部自己洗浄装置。
【請求項１１】
前記管状の壁が不連続な表面を形成していることを特徴とする請求項１乃至９のいずれか一項に記載した咀嚼ベースの口部自己洗浄装置。
【請求項１２】
一組の洗浄用翼状膜（６〜９）を備えることを特徴とする請求項１乃至１１のいずれか一項に記載した咀嚼ベースの口部自己洗浄装置。
【請求項１３】
前記チューブの弾力的な張力を調整するための機構を備えることを特徴とする請求項１乃至１２のいずれか一項に記載した咀嚼ベースの口部自己洗浄装置。
【請求項１４】
前記チューブの弾力的な張力を調整するための機構は、前記チューブの壁上にラム（５８）のように回転力を作用させるハンドル（４７）によって利用されるねじタイプの調節装置（４８及び５７）により作用することを特徴とする請求項１３に記載の咀嚼ベースの口部自己洗浄装置。
【請求項１５】
前記チューブの弾力的な張力を調整するための機構は、前記ベースプレートの調節装置からチューブの軸線に関して長手方向に取り付けられ、その締め付けが、前記チューブ（３４及び３５）の壁（２及び３）、縁部及び洗浄用翼状膜（６、７、８及び９）を多かれ少なかれ一体に収束させることを特徴とする請求項１３に記載の咀嚼ベースの口部自己洗浄装置。
【請求項１６】
真っ直ぐであり、いくつかの歯が内側にあるようにできることを特徴とする請求項１乃至１５のいずれか一項に記載した咀嚼ベースの口部自己洗浄装置。
【請求項１７】
湾曲していて、歯の全体が内側にあるようにできることを特徴とする請求項１乃至１５のいずれか一項に記載した咀嚼ベースの口部自己洗浄装置。
【発明の詳細な説明】
【技術分野】
【０００１】
本発明に関連する技術分野は、歯の洗浄及び口腔衛生装置である。
【０００２】
本発明は、チューイングガムを咀嚼するときに実行される動作に類似した上顎の運動だけで動作する口部自己洗浄装置に関し、それは一組の硬い毛、突起及び掻取りやすりまたは「歯舌」から成る引きずり及びかき集め部材が設けられた内側の洗浄用翼状膜を備える。
【背景技術】
【０００３】
日常的な口腔衛生は、現状では、多かれ少なかれ洗練された形状及び硬い毛の設計の、洗浄用の製品を小出しする装置を有しまたは有しないハンドルを備えた歯ブラシにより行われている。これらは、数ある中でも回転、振動、超音波によって作動する電気的なものとすることができる。また、隣接する歯の間の空間を洗浄するために用いられるものはデンタルフロスであり、それはフレーム上にセットされ、または連続したデンタルフロスディスペンサから取り出される。
【０００４】
これらのすべての用具は、一方または両方の手で使用しなければならない。それらは外側から取り扱われるが、それらによって実行される作用は口の内部に生じる。洗浄の効果は、ユーザの技術及び用具の特徴によって左右される。
【０００５】
歯科衛生のための装置に関係する多くの発明がある。
【０００６】
さまざまな出願が、歯みがきが供給されまたは供給されない、固定されたまたは取り外し可能なヘッドを有した、電動または手動の歯ブラシに言及している。このうちの１つの実例は、スペイン国特許公開ＥＳ２０３５１２１Ｔ３号公報またはメキシコ国特許公開ＭＸ２００９０１１５９６号公報に挙げられている。また、数ある中でも、例えば、欧州特許ＥＰ０４４９１５２号公報、コロンビア国特許公開ＣＯ５７５００３８Ａ１号公報、メキシコ国特許出願ＭＸＰＡ０５０１０１７９号、またはチリ国特許出願ＣＬ２６７１２００３号といった、デンタルフロスのための支持部を含む異なる発明を見いだすこともできる。
【０００７】
また、例えば欧州特許ＥＰ０９５１２２５号といった、洗浄のための硬い毛を製造する材料に関する発明もある。
【０００８】
使い捨ての歯の洗浄装置もまた記載されている。見出すことができる１つの実例は、欧州特許ＥＰ０４１９５８７号である。
【先行技術文献】
【特許文献】
【０００９】
【特許文献１】スペイン国特許出願公開第２０３５１２１号明細書
【特許文献２】メキシコ国特許出願公開第２００９０１１５９６号明細書
【特許文献３】欧州特許第０４４９１５２号明細書
【特許文献４】コロンビア国特許出願公開第５７５００３８号明細書
【特許文献５】メキシコ国特許出願公開第ＰＡ０５０１０１７９号明細書、
【特許文献６】チリ国特許出願公告第２６７１２００３号明細書
【特許文献７】欧州特許第０９５１２２５号明細書
【特許文献８】欧州特許第０４１９５８７号明細書
【発明の概要】
【発明が解決しようとする課題】
【００１０】
ここで、現状技術による口腔衛生の技術的な制約について詳述する。
【００１１】
１．洗浄操作の間において不可避な手の使用。
【００１２】
２．歯の舌側、隣接する歯の間の空間、または下顎関節の近傍の頬の底部によって生じるアクセスが難しいまたは隠される領域への到達に伴って生じる問題点。
【００１３】
３．身体障害者、病気にかかって寝たきりの者、及び精神運動性の能力を含むいくつかの原因のために彼ら自身の口腔衛生を実行するべく彼らの手を使用することができないまたはその使用が困難であることが見いだされる場合、または児童の場合に、付加的な制限を伴うこと。
【００１４】
４．いくつかの洗浄装置のサイズ及び重み。これらのうちの１つの実例は電気的に作動するものであるが、それらの充電器と一緒に運搬しまたは旅行することについていくつかの問題点を伴う。
【００１５】
５．歯冠の異なる側面を連続して処理しなければならないときに、良好な口部の洗浄を実行するために課されなければならない順序及び系統的な秩序。歯は、次から次へと、５つの段階で洗浄しなければならない。例えば、１番目にそれらの前庭側（外側）、２番目に舌側（内側）、３番目に咬合側（対合歯に面する側）、そして４番目に隣接する歯の間の空間。これは最初に上側の歯列弓、その後で下側の歯列弓についてなされなければならない。最後に口部の粘膜が、特にゴム質で処理されなければならない。
【００１６】
６．歯をブラッシングしかつデンタルフロスを使用するために必要な時間。もちろん、前節で述べたものに従うことを望む場合は、必要とされるすべての時間をこのことに充てなければならない。
【００１７】
７．負担となる位置に手や口を置くことに関連する筋肉の労力及び快適さの欠如。手による歯磨きまたは電動での歯磨きを実行しかつデンタルフロスを使用するときには、これらの全てに伴う不快さとは別に、難所に達するべくブラシを配置するという、不得意なまたはきわめて疲れる不利益とともに、口を開けたままにしなければならない。
【００１８】
８．最新の電動モデルにおけるエネルギーの使用。電池の消費または送電線からの供給のいずれかの電源が必要である。
【００１９】
９．例えば歯茎、口唇、頬及び舌といった歯の近傍の歯周領域のような柔らかい領域のマッサージを手で扱う必要があり、一般的には例えば従来の歯ブラシの背中にある、この目的のために設計された粗い表面を特別に使用しなければならない。
【００２０】
１０．中でも電動タイプの装置において歯みがきの際に生じる騒音。
【００２１】
１１．口腔衛生における、手動の歯ブラシの利用における過剰な力及び／または反復の影響。このことは実際に、他の障害の中でも、歯茎の急性病変及び傷（スティルマン法による傷(Stillman cracks)）、歯の頸部の開口を生じさせる歯茎の後退、歯冠に近い根元領域のくさび状物質の損失といった、急性及び慢性の外傷を引き起し得る。歯の衛生を確実にするためにどれだけ強くかつどれだけの回数の歯磨きしなければならないかについて、多くの場合に疑いがある。
【００２２】
１２．歯みがきといった洗浄剤を使用する必要がある。
【００２３】
１３．適切な口腔衛生を確実にするためには、いくつかの品目及び器具（通常の歯ブラシ、隣接する歯の間用のブラシ、デンタルフロス、その他）を、それに伴う経済的及び環境的なコストで購入する必要がある。
【００２４】
１４．前述したすべての品目を次から次へと口内に挿入することによる、従来のまたは現在の口腔衛生の人工的な、過大な負担となる不快な性質。
【００２５】
１５．歯みがきを除去するための多量の水で洗浄しても、従来の歯ブラシの硬い毛の間に肉または野菜の繊維が残る。
【００２６】
１６．獣医、牧畜業者、介護者、調教師／ならし手、トレーナ、所有者、その他といった動物の取り扱いに関わる専門家が、イヌ及びネコといったペット、家畜、動物園のまたは野生の動物について、任意の安全性の度合いで定期的な歯の衛生的なブラッシングの実行を望むときに、彼らにより動物の歯の洗浄について示された取り扱いの問題。
【課題を解決するための手段】
【００２７】
この当事者は、提案される本発明の特徴を有する如何なる先例も見いださなかった。
利点は以下に提示される。
【００２８】
ここで提示される本発明は咀嚼ベースの口部自己洗浄装置から成り、わずかに触れる程度にかつ背中合わせの２つのチューブを有する半硬質の延在された本体を備える。これらのチューブのそれぞれは、ベースプレートに対して背中合わせの領域において長さ方向に開口し、接続領域とは反対側の接線に沿って開口し、 開口のそれぞれは、これらが位置する管の内側に面している部分または翼状膜を有していて、上側及び下側の洗浄チャネルを作り出す長手方向スリットを形成している。チューブは、例えば円筒状またはプリズム形状の、異なる断面を有することができる。チューブが互いに背中合わせとなる領域には、その外側に取り付けハンドルが設けられるともにこの取り付けハンドルとは背中合わせの位置で内側に位置決めフランジが設けられた、ベースプレートがある。
【００２９】
ベースプレートまたはチューブが互いに背中合わせの領域の近傍のチューブの内側には、内側に向く部分の外側部分には開口に向かって前側に波打つストリップ及び一組のブラシ、突起及び掻取りやすりまたは「歯舌」がある。
【００３０】
したがって本体は、ベースプレート及びその両側に接続される２つのチューブから構成された、湾曲した腕を有する基本的に大文字のＨ形状の横断面を有する。
【００３１】
両方の歯弓列の歯は、咀嚼の間に洗浄チャネルに嵌入する。各チューブの内側に面するとともにそれぞれのチャンネルを形成する部分またはフランジは、既に述べたように、咀嚼の間の歯の進入及び退出に対抗するようにしっかりと取り付けられて配置された上述したような一組のクリーニング、マッサージ及び引きずり部材が取り付けられた洗浄用翼状膜を形成するように、チャネルの内側に向かって突出している。
【００３２】
操作は、以下の段階を伴う：
【００３３】
１．ハンドルによって自己洗浄装置を口内に挿入し、舌の助けを借りて処理する領域にこれを配置し、歯によってこれを保持する。
【００３４】
２．洗浄チャネルにおいて自己洗浄装置を噛むことは、上側及び下側の歯がこの装置の各チューブに嵌入しかつ貫通することを意味する。それらを貫通する歯の表面を絶えず押圧するので、それらは同時に歯の貫通によって強制的に開かれる。チューブは柔軟でかつ抵抗力がある。この段階において歯は引きずりタイプの第１の洗浄部材の上を摺動するが、これが配置されている角度により、それは歯の貫通に対して何らの抵抗も示さない。
【００３５】
３．自己洗浄装置を噛んでいる間に、２つのチューブの間にセットされたベースプレートの近傍に設置されているある種の緩衝ストリップまで進むと、我々がスケール除去部材と呼ぶ第２の洗浄部材との接触が生じる。それは、歯の噛み合い側、特に小臼歯及び最も大きな噛み合い表面領域を有する大臼歯にくっついているあらゆる有機物質をたがねのように除去する。
【００３６】
４．顎をわずかに離すことにより、緩衝ストリップ上に歯によって加えられていた圧力が弱まり、移動中ではあるが装置からはみ出ない歯は、チューブの内側に面しているある種の翼状膜またはチューブの部分にぶつかる。それらの掻取り及びかき集め部材のその角度は、歯の退出、従ってそれらの表面にくっついている物に対抗する。傾斜した先端を有する硬い毛の形態構造及び突起と掻取りやすりの存在は、付着している有機物質が引きずられることを意味し、これを取り除いて歯をきれいなままにする。充分な洗浄を確実にするために、咀嚼運動は各歯の領域において数回反復されなければならず、それは歯が装置を完全に放すことなしに反復する咀嚼運動によって達成される。
【００３７】
５．引き離された物質は、至る所に存在する唾液と共に、口腔内におけるその外側へと自己洗浄装置のチャネルを通って循環する。
【００３８】
６．第１の歯の領域を洗浄した後、この装置は歯の隣接領域に向けたスライドによって転送されるが、それはわずかに顎を離すこと、及びそれらの間に閉じ込められていた装置を少し緩めることによって単純になすことができる。このようにして、この装置は舌の助けを借りて解放され、この装置をスライドさせることができるようにかつ歯弓列上でのその移動を容易にするために、横方向の圧力を位置決めフランジに作用させることができ、まだ処理されていない次の領域にこれを動かすことにより、単純な咀嚼動作によって洗浄し続けることが可能となる。本発明の基礎的な実施形態の寸法に応じて、全体的な歯の洗浄動作を完了するためには、例えば、右の大臼歯及び小臼歯のための第１の位置、右の犬歯及び切歯のために第２の位置、左側の犬歯及び切歯のための第３の位置、かつ左側の小臼歯及び大臼歯のために第４の位置の、４つの位置で十分である。
【００３９】
７．この装置は、蛇口の下での指による単純なすすぎからブラッシングによる強い洗浄、化学物質または生物学的薬剤の使用、及び／または熱による殺菌に至る、異なる方法でいつでも洗浄することができる。
【００４０】
上で指摘したように、この装置は、噛むときに歯が貫通する長手方向のスリットを各チューブに沿って有しており、噛み合いにおいて歯が徐々に貫通すると、徐々により大きくなる歯の容積（切歯、犬歯、小臼歯及び／または大臼歯）が隙間に入り込んで、開き角度を強制的に拡げる。
【００４１】
洗浄用翼状膜の開き角度は、使用していないときに（図５ｄ及び５ｅ）調節可能とすることができる。例えば、ラムのように回転してチューブの壁を押すハンドルで操作されるねじタイプの調節装置による、チューブの弾力的な張力を調整するための機構を取り付けることができる。または他の選択肢において、これはベースプレート内に調整機構を有し、その締付はチューブの壁、縁部及び洗浄用翼状膜を多かれ少なかれ互いに収束させる。
【００４２】
上側の歯が上側チューブのスリットに入るときに、下側の歯もまた下側のチューブに入って、掻取りやすり、硬い毛及び突起を含む引きずり部材によって構成され、かつ各円筒の内部まで延びるスロットの両側に配置された、歯の動作に対して支柱または土台のように作用する構造の一方の側を押す。それにもかかわらず、それらは常に歯弓列の貫通のために配置されていて、それらは容易に歯の進入を許容するが、チューブの大きな弾力性により出るときにはその垂直表面をしっかりと掴む。これは、歯の表面に付着している食物のあらゆる残り物及び歯垢に対して引きずり部材がたがねのように作用して、「間違った方法で磨く」それらの効果によってこれらを除去し、それらが唾液とともにチャネルから口腔の口に向かって排出されることを意味する。
【００４３】
チューブが接続する各チューブの空洞の底部においては、特に大臼歯及び小臼歯の場合には、歯の噛み合い面に対して斜めであるいくつかの方向の突起及び硬い毛を有する、この底部にある一組の部材にぶつかって、歯が停止する。これらは、噛み合い側の硬い毛であり、歯の間に位置するベースプレートの波打つ緩衝ストリップの間に配置されたスケール除去部材として作用し、例えば大臼歯が一組の部材にぶつかるたびに、それらが引き離されるまで、食物のあらゆる残り物の上にこれらの部材がたがねのように力を作用させるようになっている。これらが大臼歯によって押しつぶされないように、硬い毛は高さが低いある種の隆起または硬い緩衝部分よって部分的に保護されており、それは咀嚼の間の歯の前進を制限する。
【００４４】
洗浄は、歯弓列の任意の箇所、例えば右側の大臼歯領域から開始することができる。この歯の領域におけるいくつかの咀嚼の後、顎がゆるめられ、装置の舌側の中央にある外側押付けフランジを押付けることにより、舌の助けを借りて装置を徐々にスライドさせ、口の左側に向けて歯弓列に沿ってこれを左側に移動させる。それは、残りの歯の領域（右側の小臼歯、切歯、左側の小臼歯及び左側の大臼歯）をカバーしつつ、このように連続させて歯の全体の洗浄を完了する。これは、両側において必要なだけ何度も反復することができる。
【００４５】
この洗浄動作は、食物の残り物及びあらゆる歯垢を歯の表面から取り除くことを確実にする。口の軟らかい部分は、歯頸、歯茎並びに舌、口唇及び頬といった他の柔らかい口内領域部に作用する、装置の表面の上の突出部の形態の掻取り及びマッサージ部材によってマッサージされる。
【発明の効果】
【００４６】
上述した不都合とは対照的に、本発明は以下の利点をもたらす。
【００４７】
１．最初の口内への挿入及び最後の取り出しを除いて、この発明で描写される装置は、手なしで使用できるように特別に設計されている。これは、ユーザが彼らの歯をこの装置で磨く間に、運転や、コンピュータで仕事をすることから家庭の作業を実行することに至る他の作業を同時に実行できることを意味する。それは、それらがチューインガムであるかのようである。
【００４８】
２．この装置は、洗浄に関して重要であるすべての領域に実際に達する。食物が拡散し得るあらゆる所に実際に達する、硬い毛、突起または掻取りやすりといった、戦略的に配置されかつ分配された異なる引きずり部材を、その設計が含むからである。
【００４９】
３．この装置を挿入し、繰り返し咀嚼し、最後にこれを取り除き、蛇口の下でこれを洗えば充分であるから、自分の手で磨かなくとも良い。洗浄は、咀嚼することによって受動的に、しかしながら効果的にかつとりわけ効率的になされる。
【００５０】
４．自己洗浄装置は、そのサイズが読書用眼鏡の折り畳みセットのそれの概ね半分であり、かつその重みがポケットライターの様であることは、ポケット内に便利に携帯できることを意味する。
【００５１】
５．この自己洗浄装置は、舌によって押されることにより歯弓列の間で徐々に移動するので、この全てが単一の操作においてなされる。先に述べたように、あたかもユーザがチューイングガムを咀嚼しているかのような、まさしく顎の上下運動によって、それが進むときに、歯茎及び他の口部の粘膜を含む歯のすべての側の２つの（上下の）歯弓列の連続する領域を取り扱う。
【００５２】
６．この自己洗浄装置は、今日の従来システムで歯を磨くために必要とされる時間の１／１０の時間とすることができる。
【００５３】
７．この装置によれば、下唇を離すことなしに顎（上顎及び下顎それ自身）のみが使用されるので、洗浄操作は内側から、自然にかつ便利になされる。
【００５４】
８．これは、如何なる外部エネルギーの使用もなく、顎及び舌が動作するのみであるので、非常に環境保護的である。
【００５５】
９．本発明の対象物の表面上における硬い毛、突起及び掻取りやすりを有した領域の戦略的な分布は、これが咀嚼されるときに食物との接触に類似しているので、我々がこれに気づくことなしに、優しくかつ自然に、柔らかい領域をマッサージする。
【００５６】
１０．我々が口を閉じてガムを咀嚼するときに立てられる音より少ないので、これは実際には聞こえない。邪魔になる自己清浄装置によって防止されるので、咀嚼の角度が小さくかつ歯列弓が如何なる衝撃も作らないからである。これは、ベースプレートに設置された緩衝ストリップのおかげで顎の接触を弱める。噛み合い表面が清潔になるときは、さもなければ歯が互いに衝突する時点の、まさにこのときである。
【００５７】
１１．我々の顎は咀嚼するときにかなり繊細であり、この自己洗浄装置によって負傷は生じず、かつこれを使用するときに自分の舌を噛むことはない。この装置によると、自己洗浄装置の引きずり部材が我々の口部の粘膜や歯（歯肉線）に対して決して反対方向を向かないので、顎の力はそれほど重要ではない。それらは、食物の残り及び歯に付着している歯の微生物による歯垢に対して機械的な抵抗を与えるだけである。顎が開いて歯が移動するときに、洗浄用翼状膜の内部の引きずり部材がこれらを引きはがす。円筒の弾力的な圧力のおかげで、それらは歯に付着している堆積物の上に引きずり及びかき集めの効果を有する。
【００５８】
１２．この自己洗浄装置は、歯みがきの有無にかかわらず使用することができる。仕上げのときには、口をすすぎ、または必要に応じ歯の衛生動作に少しの洗口剤を加えれば充分である。歯みがきを使用する場合は、引きずり部材がより短くかつより拡散させるので、多い分量は消費されず、以前に必要とする量の４分の１であり、液体歯みがきが最も推薦される。
【００５９】
１３．単一片のコンパクトな自己洗浄装置により、洗浄はそれほど特別かつ強いものではないが、それでいてより多く実行され、かつ全部の動作を便利に扱うので、この場合はその１つが全てである。経済学的にかつ生態環境的に、その利点は明らかである。
【００６０】
１４．これは、あたかも我々が食物を咀嚼しているかのように、自然に噛むシステムであり、より優しいものである。ある種の食料品を食べるときのように困難ではなく、顎の開きが小さくて使いやすいからである。急速に、およそ１５回の咀嚼または顎の運動において、歯垢は徐々に破壊され、歯の表面にくっついている食物の残りは取り除かれる。
【００６１】
１５．  短くかつ薄い、引きずり及びスケール除法部材の間で指を単純に動かしつつ、蛇口の下でまたはマイルドな洗口剤の少しの液体でこれらをすすげば充分である。
【００６２】
１６．この自己洗浄装置により、操作はより容易である。彼ら自身の歯を洗浄するのが動物自身であるので、実際にそうすることを強制するのではなく、装置の内部に彼らが好む何かの物質（甘いもの、肉の香り、その他）をしみ込ませることによって彼らをだますことだけが必要である。
【図面の簡単な説明】
【００６３】
【図１ａ】自己洗浄装置の外側の側方の、すなわち唇側の斜視図。
【図１ｂ】ユーザの口に取り付けられた後の自己洗浄装置の一端の側面図。
【図１ｃ】自己洗浄装置の内側、すなわち舌側の斜視図。
【図１ｄ】取り付けられた自己洗浄装置の（口の外側からの）外側の、すなわち唇図。
【図１ｅ】取り付けられた自己洗浄装置の舌側から見た内側、すなわち舌側の図。
【図２ａ】自己洗浄装置の横方向の断面図。ここで、図Ａは装置の前側（口唇側）を表し、図Ｂは装置の舌側を表している。
【図２ｂ】取付けハンドル及び位置決めフランジを示す、装置の中央断面の左側面図。
【図２ｃ】上側チューブ部分における引きずり及びスケール除去のための構造及び洗浄部材。
【図２ｄ】歯が噛み合う領域のための緩衝ストリップ及びスケール除法部材。ここで、図Ａは装置の正面図及び緩衝ストリップ上の歯の突起の詳細を表し、かつ図Ｂは装置の噛み合い側（咀嚼の間に歯がその相手側と出会う側）を表している。
【図３ａ】単一の洗浄部材（硬い毛、突起及び掻取りやすり）。
【図３ｂ】洗浄部材（硬い毛、突起及び掻取りやすり）の異なる組合せ及び配置。
【図４】引きずり洗浄の段階。ｔ１からｔ６は、洗浄部材による汚れた歯の洗浄において、きれいな歯が生じるまでの時点の規則正しい順序を示している。
【図５ａ】切歯の挿入及び舌での移動による自己洗浄装置の壁の弾力的な後退。
【図５ｂ】大臼歯の挿入及び舌での移動による自己洗浄装置の壁の弾力的な後退。
【図５ｃ】基礎的な洗浄用翼状膜有り及び洗浄用翼状膜無しでの単純モデルにおける切歯の連結。
【図５ｄ】チューブの収束及び洗浄用翼状膜の弾力的な張力を調整するためのねじラムを有した取り付けハンドルによる調整方法。
【図５ｅ】ねじによって生じたラム圧による洗浄用翼状膜の収束のための調整システムを有した、動物に適用する自己洗浄装置の横断面図（すべての部分は断面とみなされなければならないが、明瞭な解釈のためのためにそれらはそのように描かれていない）。
【図６ａ】平行に配置された多数の柔軟で弾力的なハーフリングから製作された、不連続な表面を形成する、代わりの円筒チューブのフレーム。
【図６ｂ】弾力的で柔軟な多角形部分の平行な連続から成る、代わりのプリズム状ケーシングのフレーム。
【図６ｃ】多少解剖学的な断面プリズムとチューブ及びプリズム状ケーシングの異なる基礎的なオプションとの異なる組み合わせの断面。
【図７ａ】不連続な線の歯の突起を有する子供の歯列弓を完全に処置するためのアーチ型の口部自己洗浄装置のモデルの噛み合い側の図。
【図７ｂ】図７ａのモデルの斜視図及び上面図。
【発明を実施するための形態】
【００６４】
上述したように、本発明において提示される装置はかなり完全な口腔衛生の機構の革新的な概念を使用しており、最初に挿入すること及び終了するときにそれを口から取り外すことを除いて、この装置は手なしで使用されるように特別に設計され、ユーザの咀嚼の機構のみを使用するので、外部エネルギーの消費も無い。実際、この装置は、あたかもチューインガムであるかのように咀嚼する、ユーザ自身の前後の顎運動によって歯をみがくために用いられる。このことの全ては、その設計によるものであり、食物を咀嚼した後に病原性のかすとして歯冠及び歯茎（２４及び２５）の表面に付着するかすの排除につながる効果的な衛生を確実なものとする。したがって、口部の粘膜の洗浄及びマッサージは別として、歯肉線及び隣接する歯の間の空間における微生物による歯垢の掃除を確実なものとし、かつ咀嚼することによって単純にその全てを行う。歯の表面に対して配置される、掻取り特性をもたらすその表面領域のおかげで、それは装置内への最初の歯の進入は邪魔しないがその退出についてはそのようにし、顎を開けるときに、歯及び歯茎に付着している有機物質の沈着物にたがねまたは熊手のように作用して、スケールを除去してこれを引き離す。
【００６５】
したがって、基礎的なモデル（図１ａ〜１ｅ）や、特に子供のために考案されたアーチ型モデル（図７ａ〜７ｂ）または動物に適用するもの（図５ｅ）ばかりでなく、他のモデル（３８〜４３）の実施例の説明がある。これらは、その解説が図において説明されるとともに、上述した説明において及び請求の範囲において支持される装置であり、それは、フレーム及び周囲のマトリックスによって形成された、弾力的で抵抗力があるエラストマ製の双管ボディの概念を含む、この発明の全部の形態を確立している。骨格またはフレームは、２つの連続した半硬質のチューブ（２、３）と、これらを接続するために高度に調和したベースプレート（１３）とを有しており、チューブは上側洗浄チャネル（４）及び下側洗浄チャネル（５）（チャネル１４）をそれぞれ定め、それぞれには、それぞれ上側及び下側の唇側及び舌側の洗浄（６、７、８、９）のための半硬質で柔軟かつ弾力的な翼状膜が設けられている。このセットは、洗浄チャネル（１４）とともに、本質的に「Ｈ」形の構造を有している。翼状膜は、引きずり部材を有している。
【００６６】
各チューブ（２、３）は、これらがベースプレート（１３）に接続する領域であるその下側部分にスケール除去部材（１１）を有している。これらが反復する噛み合いによって押しつぶされることを防止するために、スケール除法部材（１１）が波打つ緩衝ストリップ（１２）上に配置されている。この装置の側方の端部は丸められている。これらの丸められた端部は、符号（１８）が与えられるとともに、それらの端部は開口しており、このようにして洗浄の残留物の口腔内へのドレインを構成する。
【００６７】
翼状膜（６、７、８、９）の各組は、それを通って歯（または複数の歯）（２６、２７、３１、３２、４９、６０）が進む洗浄チャネル（１４）を定めている。
【００６８】
２つのチューブの間のベースプレート（１３）の内側には、舌（２８）によって動かすことができる位置決めフランジ（１５）がある。このベースプレート（１３）の外側は、動物または小さな子供の場合に、その手動による配置及び取り外しのためにまたはこれを保持するために用いられるハンドル（１）を有している。
【００６９】
チューブ（２、３）は、その内側及び／または外側にエラストマ製のケーシングを有することができ、このケーシングが取り付けられたチューブは数字（２９）及び（３０）で表されている。このケーシングは、チューブ（２、３）の形状を丸めて、これらを鈍いものとし口部の粘膜及び舌に対する接触を快適なものにする。
【００７０】
各チューブ（２、３）の両端は開口している。各洗浄チャネル（１４）（２つの洗浄用翼状膜を認識することができるが）には、装置の弾力的な性質によって歯に押圧される硬い毛、突起及び掻取りやすりといった柔軟で弾力的な引きずり部材（１０）が、それぞれ設けられている。
【００７１】
本発明による装置は、その形状、サイズ及び長さに関して変化させることができ、いくつかの歯を同時に洗浄するための選択的な実施形態（図１ａ及び図２ｄ）においては短くかつ真っ直ぐとし、または単一のプロセスで歯弓列の全体を洗浄するためのアーチ型の解剖学的モデルまたは「Ｕ」字形部材（図７ａ及び図７ｂ）として公知の、より長い湾曲形状とすることができる。装置の表面は、チューブに沿って連続した面を有し、または、例えば環状の断片をなす、不連続なものとすることができる。
【００７２】
結論を言うと、本発明は、それらを機械的に取り除くことができるという条件において、歯の表面に付着しているあらゆる食物の残留物または歯垢をスケール除去しまたは取り除いて、歯及びその周囲（歯茎、口唇、舌及び歯の間の空間）を自己洗浄するべく、顎自身の力ばかりでなく、単純な咀嚼または噛み合い運動を利用することについてそれが焦点を合わせているので、この明細書の始めに記載した問題を解決するのに適している。これは、ペーストもしくはゲル、洗口剤、もしくは他の歯を洗浄する物質または単に自分の自身の唾液と互換性を有する。
【符号の説明】
【００７３】
１  取付けハンドル
２  上側チューブ（ケーシング無しの上側チューブのフレーム）
３  下側チューブ（ケーシング無しの下側チューブのフレーム）
４  上側洗浄チャネル
５  下側洗浄チャネル
６  上側の唇側洗浄用翼状膜
７  上側の舌側洗浄用翼状膜
８  下側の唇側の洗浄用翼状膜
９  下側の舌側の洗浄用翼状膜
１０  引きずり部材（硬い毛、突出部及び掻取りやすり）
１１  スケール除去部材（咬合性の硬い毛）
１２  緩衝ストリップ
１３  ベースプレート
１４  洗浄チャネル
１５  位置決めフランジ
１６  スリット内で噛み合う上側の歯
１７  スリット内で噛み合う下側の歯
１８  丸められた端部の詳細
１９  エラストマ製のモールド
２０  口部洗浄のための突起及び掻取りやすり
２１  引きずり用の硬い毛
２２  咬合性のスケール除去用の硬い毛
２３  舌側の洗浄のための突起及び掻取りやすり
２４  上側の歯茎
２５  下側の歯茎
２６  上側の大臼歯
２７  下側の大臼歯
２８  ユーザの舌
２９  上側チューブ（上側の円筒＋ケーシング）
３０  下側チューブ（下側の円筒＋ケーシング）
３１  上側の切歯
３２  下側の切歯
３３  顎を閉じる力（把持力）
３４  円筒の弾力的な後退
３５  洗浄用翼状膜の弾力的な後退
３６  微生物による歯垢及び食物の残り物
３７  下顎を開く力（把持解除力）
３８〜４３  円筒またはプリズム状ケーシングの断面の異なるモデル
４４  連続壁を有する円筒に代わるものとしての平行で可撓性の弾力リングの連続物
４５  チューブまたは洗浄用翼状膜の壁
４６  洗浄部材（硬い毛、突起及び掻取りやすり）の異なる組合せ及び配置
４７  円筒の張力を調整し洗浄翼状膜の収束を調整するための取付けハンドルの回転
４８  ベースプレート内部の調整ねじ
４９  きれいな切歯
５０  下による装置の移動
５１  平行な多数のハーフリングによって形成された円筒フレーム
５２  平行な一組の多角形部分によって形成されたプリズム状の箱のフレーム
５３  動物の歯のために自己洗浄装置の保護板
５４    その内部で回転するねじロッドを収納する保護板に固定されたグリップ
５５  ねじロッドに固定されて洗浄用翼状膜の収束を調整するべくグリップ上で回転するストップハンドル
５６  ねじロッド
５７    自己洗浄装置の位置決めフランジ及びベースプレートに固定されたねじベース
５８  ロッドのネジ効果によってチューブの壁上に圧力を作用させる、洗浄用翼状膜を収束させるためのラム
５９  グリップ、保護板及びラムから製作された複合組立体のアイドル回転
６０  動物の歯（この場合は馬）
６１    アーチ型の自己洗浄装置において取付けハンドルをベースプレートに連結する部品
６２    アーチ型の自己洗浄装置において子供の乳歯の２つの歯列弓のうちの１つ（上側または下側）の歯を挿入するための通常のルート
６３  単一動作でかつ舌による移動無しに歯列弓を洗浄するためのアーチ型自己洗浄装置のチューブ
【図１ａ】
2014516736.tif 000003
【図１ｂ】
2014516736.tif 000004
【図１ｃ】
2014516736.tif 000005
【図１ｄ】
2014516736.tif 000006
【図１ｅ】
2014516736.tif 000007
【図２ａ】
2014516736.tif 000008
【図２ｂ】
2014516736.tif 000009
【図２ｃ】
2014516736.tif 000010
【図２ｄ】
2014516736.tif 000011
【図３ａ】
2014516736.tif 000012
【図３ｂ】
2014516736.tif 000013
【図４】
2014516736.tif 000014
【図５ａ】
2014516736.tif 000015
【図５ｂ】
2014516736.tif 000016
【図５ｃ】
2014516736.tif 000017
【図５ｄ】
2014516736.tif 000018
【図５ｅ】
2014516736.tif 000019
【図６ａ】
2014516736.tif 000020
【図６ｂ】
2014516736.tif 000021
【図６ｃ】
2014516736.tif 000022
【図７ａ】
2014516736.tif 000023
【図７ｂ】
2014516736.tif 000024
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
円筒形（４３）あるいはプリズム状（３８）断面のフレームを形成する２つのチューブ（２９、３０）とベースプレート（１３）とを有する半硬質の細長い本体から構成され、前記チューブ（２９、３０）に硬い毛、突起及び掻取りやすりあるいは「歯舌」（１０及び１１）といった一組の洗浄、マッサージ及び引きずり部材が設けられている咀嚼ベースの口部自己洗浄装置であって、
・  長手方向の向きにおいて完全に溝が設けられ、それぞれが洗浄チャネル（４及び５）を形成するとともにわずかに触れる程度に重ね合せられ、直接的にあるいは中間ベースプレートによって一体に接合された２つの溝付きチューブから形成される、湾曲した大文字の「Ｈ」形状の半硬質で柔軟かつ弾力的なボディを備え、
・  前記チューブのそれぞれの前記スロットの２つの縁部は、前記洗浄チャネルの内側に向けて延びて２つの洗浄用翼状膜（６、７、８及び９）を形成し、前記ベースプレート（１３）の緩衝ストリップ（１２）に達するまで歯弓列が押しつつそれらの間に貫通するときに弾力的に変形することができ、かつ
・  前記洗浄用翼状膜（６、７、８及び９）及び前記ベースプレート（１３）には、それらが歯及び歯茎の表面領域に達して、咀嚼の間にこれらが移動するときに、これらが弾力的に作用するように丈夫に取付けられかつ設置された洗浄、マッサージ及び引きずり部材が設けられていることを特徴とする咀嚼ベースの口部自己洗浄装置。
【請求項２】
前記チューブ（２、３）にエラストマー製のケーシングが取り付けられていることを特徴とする請求項１に記載した咀嚼ベースの口部自己洗浄装置。
【請求項３】
前記ベースプレートの外側がまた外側取付けハンドル（１）を有していることを特徴とする請求項１または２に記載した咀嚼ベースの口部自己洗浄装置。
【請求項４】
前記チューブ（２、３）の間あるいは前記ベースプレート（１３）の背後に位置決めフランジ（１５）があることを特徴とする請求項１乃至３のいずれか一項に記載した咀嚼ベースの口部自己洗浄装置。
【請求項５】
前記チューブはそれらの端部が開放していて、前記洗浄の残りの前記口腔内への排水路を形成していることを特徴とする請求項１乃至４のいずれか一項に記載した咀嚼ベースの口部自己洗浄装置。
【請求項６】
前記チューブは、前記歯茎及び前記口の他の軟らかい部分をこすってマッサージするための部材をそれらの外側表面上に有していることを特徴とする請求項１乃至５のいずれか一項に記載した咀嚼ベースの口部自己洗浄装置。
【請求項７】
前記管状の壁が連続した表面を形成することを特徴とする請求項１乃至６のいずれか一項に記載した咀嚼ベースの口部自己洗浄装置。
【請求項８】
前記管状の壁が不連続な表面を形成することを特徴とする請求項１乃至６のいずれか一項に記載した咀嚼ベースの口部自己洗浄装置。
【請求項９】
前記チューブの弾力的な張力を調整するための機構を備えることを特徴とする請求項１乃至８のいずれか一項に記載した咀嚼ベースの口部自己洗浄装置。
【請求項１０】
前記チューブの弾力的な張力を調整するための機構は、前記チューブの壁上にラム（５８）のように回転圧力を作用させるハンドル（４７）によって利用されるねじタイプの調節装置（４８及び５７）により作用することを特徴とする請求項９に記載の咀嚼ベースの口部自己洗浄装置。
【請求項１１】
前記チューブの弾力的な張力を調整するための機構は、前記ベースプレートの調節装置からチューブの軸線に関して長手方向に取り付けられ、その締め付けは、前記チューブ（３４及び３５）の壁（２及び３）、縁部及び洗浄用翼状膜（６、７、８、及び９）を多かれ少なかれ互いに一体に収束させることを特徴とする請求項９に記載の咀嚼ベースの口部自己洗浄装置。
【請求項１２】
直線形であり、いくつかの歯が内側にあるようにできることを特徴とする請求項１乃至１１のいずれか一項に記載した咀嚼ベースの口部自己洗浄装置。
【請求項１３】
曲線形であり、歯の全体が内側にあるようにできることを特徴とする請求項１乃至１１のいずれか一項に記載した咀嚼ベースの口部自己洗浄装置。
【国際調査報告】
2014516736.tif 000025
2014516736.tif 000026
2014516736.tif 000027
2014516736.tif 000028
2014516736.tif 000029
2014516736.tif 000030